(57)【要約】【課題】画像が印画された印画物と、利用者が編集作業により画像に合成した編集アイテムのステッカーとを作成するプリントシステムを提供する。【解決手段】本発明によるプリントシステム１は、利用者から編集アイテムの選択を受け付ける編集アイテム選択部１２０と、選択された編集アイテムを原画像に合成する合成部１２２と、前記原画像と前記編集アイテムとを合成した合成画像を表示する表示部１２と、前記原画像を印画紙にプリントして出力するプリンタ１５と、前記編集アイテムの画像をステッカー台紙にプリントしてステッカーを作成するステッカー作成装置１６と、を備える。【選択図】図１
2018018333.tif 000002
【特許請求の範囲】
【請求項１】
利用者から編集アイテムの選択を受け付ける編集アイテム選択部と、
選択された編集アイテムを原画像に合成する合成部と、
前記原画像と前記編集アイテムとを合成した合成画像を表示する表示部と、
前記原画像を印画紙にプリントして出力するプリンタと、
前記編集アイテムの画像をステッカー台紙にプリントしてステッカーを作成するステッカー作成装置と、
を備えるプリントシステム。
【請求項２】
利用者を撮影して前記原画像を生成する撮影装置をさらに備えることを特徴とする請求項１に記載のプリントシステム。
【請求項３】
前記原画像の入力を受け付ける入力部をさらに備えることを特徴とする請求項１に記載のプリントシステム。
【請求項４】
前記合成画像を外部サーバへ送信する通信装置をさらに備えることを特徴とする請求項１乃至３のいずれかに記載のプリントシステム。
【請求項５】
複数の編集アイテムをグループ化して組み合わせた複数の編集アイテム群を有し、前記編集アイテム選択部は、前記編集アイテム群の選択を受け付け、選択された編集アイテム群に含まれる編集アイテムを、前記原画像に合成可能とし、
前記ステッカー作成装置は、前記選択された編集アイテム群に含まれる全ての編集アイテムの画像をステッカー台紙にプリントしてステッカーを作成することを特徴とする請求項１乃至４のいずれかに記載のプリントシステム。
【請求項６】
複数の編集アイテムをグループ化して組み合わせた複数の編集アイテム群を有し、
前記ステッカー作成装置は、利用者から選択された編集アイテムが網羅されるように１又は複数の編集アイテム群に含まれる全ての編集アイテムの画像をステッカー台紙にプリントしてステッカーを作成することを特徴とする請求項１乃至４のいずれかに記載のプリントシステム。
【請求項７】
前記プリンタは、前記合成画像を印画紙にプリントして出力することを特徴とする請求項１乃至６のいずれかに記載のプリントシステム。
【発明の詳細な説明】
【技術分野】
【０００１】
本発明は、画像が印画された印画物と、この印画物に貼付するためのステッカーとを作成するプリントシステムに関する。
【背景技術】
【０００２】
利用者を撮影し、撮影画像に文字や図形を書き込んでプリント画像を作成し、このプリント画像をシール紙等に印刷して出力する画像プリント作成装置が知られている（例えば特許文献１参照）。また、利用者を撮影し、撮影画像をＳＮＳ（Social  Networking  Service）に投稿する機能を持った装置が提案されている。
【０００３】
このような画像プリント作成装置においては、利用者のニーズが多様化しており、常に新たな機能や、新たなプリント物の楽しみ方が求められている。
【先行技術文献】
【特許文献】
【０００４】
【特許文献１】特開２０００−６９４０４号公報
【発明の概要】
【発明が解決しようとする課題】
【０００５】
本発明は、上記従来の実状に鑑みてなされたものであり、画像が印画された印画物と、利用者が編集作業により画像に合成した編集アイテムのステッカーとを作成するプリントシステムを提供することを課題とする。
【課題を解決するための手段】
【０００６】
本発明によるプリントシステムは、利用者から編集アイテムの選択を受け付ける編集アイテム選択部と、選択された編集アイテムを原画像に合成する合成部と、前記原画像と前記編集アイテムとを合成した合成画像を表示する表示部と、前記原画像を印画紙にプリントして出力するプリンタと、前記編集アイテムの画像をステッカー台紙にプリントしてステッカーを作成するステッカー作成装置と、を備えるものである。
【０００７】
本発明の一態様によるプリントシステムは、利用者を撮影して前記原画像を生成する撮影装置をさらに備える。
【０００８】
本発明の一態様によるプリントシステムは、前記原画像の入力を受け付ける入力部をさらに備える。
【０００９】
本発明の一態様によるプリントシステムは、前記合成画像を外部サーバへ送信する通信装置をさらに備える。
【００１０】
本発明の一態様によるプリントシステムは、複数の編集アイテムをグループ化して組み合わせた複数の編集アイテム群を有し、前記編集アイテム選択部は、前記編集アイテム群の選択を受け付け、選択された編集アイテム群に含まれる編集アイテムを、前記原画像に合成可能とし、前記ステッカー作成装置は、前記選択された編集アイテム群に含まれる全ての編集アイテムの画像をステッカー台紙にプリントしてステッカーを作成する。
【００１１】
本発明の一態様によるプリントシステムは、複数の編集アイテムをグループ化して組み合わせた複数の編集アイテム群を有し、前記ステッカー作成装置は、利用者から選択された編集アイテムが網羅されるように１又は複数の編集アイテム群に含まれる全ての編集アイテムの画像をステッカー台紙にプリントしてステッカーを作成する。
【００１２】
本発明の一態様によるプリントシステムにおいて、前記プリンタは、前記合成画像を印画紙にプリントして出力する。
【発明の効果】
【００１３】
本発明によれば、画像が印画された印画物と、利用者が編集作業により画像に合成したアイテムのステッカーとを作成できる。利用者は、ステッカーを印画物に貼り付けることで、印画物を飾り付ける楽しみを得ることができる。
【図面の簡単な説明】
【００１４】
【図１】本発明の第１の実施形態に係る印画物作製処理の概念図である。
【図２】同第１の実施形態に係るプリントシステムの概略構成図である。
【図３】演算制御装置の概略構成図である。
【図４】制御プログラムの実行により実現される機能ブロック図である。
【図５】同第１の実施形態に係る印画物作製方法を説明するフローチャートである。
【図６】（ａ）（ｂ）は画像編集画面の例を示す図である。
【図７】（ａ）は撮影画像がプリントされた印画物の例を示す図であり、（ｂ）はステッカーの例を示す図である。
【図８】ステッカー貼付の概念図である。
【図９】（ａ）は編集アイテムの組み合わせの選択画面の例を示し、（ｂ）は画像編集画面の例を示し、（ｃ）は出力されるステッカーの例を示す図である。
【図１０】（ａ）は画像編集画面の例を示し、（ｂ）は編集アイテムの組み合わせの例を示し、（ｃ）は出力されるステッカーの例を示す図である。
【図１１】同第２の実施形態に係るプリントシステムの斜視図である。
【図１２】同第２の実施形態に係るプリントシステムのブロック構成図である。
【図１３】同第２の実施形態に係る印画物作製方法を説明するフローチャートである。
【発明を実施するための形態】
【００１５】
以下、本発明の実施の形態を図面に基づいて説明する。
【００１６】
［第１の実施形態］
図１は、本発明の第１の実施形態に係る印画物作製処理の概念図である。プリントシステム１は、利用者Ｐを撮影し、撮影した画像にスタンプやフレーム等の編集アイテムを合成する編集処理を行い、合成画像データをＳＮＳサーバ４にアップロードする。これにより、利用者Ｐは、合成画像をＳＮＳで公開することができる。
【００１７】
また、プリントシステム１は、撮影画像を印画紙にプリントした印画物２を出力すると共に、編集処理で使用した編集アイテムのステッカー３を出力する（図７（ａ）（ｂ）参照）。利用者Ｐは、ステッカー３から編集アイテムステッカーを剥がし、印画物２に自ら貼付することで（図８参照）、撮影画像の装飾を楽しむことができる。
【００１８】
図１、２に示すように、本実施形態に係るプリントシステム１は、利用者Ｐの撮影を行う撮影空間を有するボックス型の写真撮影装置であり、利用者Ｐを撮影して撮影画像データを生成する撮影装置１１と、この撮影画像データに対して画像処理を施す演算制御装置１０と、利用者Ｐから編集指示等を受け付けると共に、プレビュー画像や各種情報を表示するタッチパネル（指示受付部及び表示部）１２と、音声案内等を出力するスピーカ１３と、撮影装置１１が利用者Ｐを撮影する際に光を照射するストロボ１４と、を備える。
【００１９】
このプリントシステム１には、撮影画像を印画紙にプリントして出力するプリンタ１５が設けられている。プリンタ１５のプリント方式は特に限定されず、インクジェット方式、昇華型熱転写方式、溶融型熱転写方式等を用いることができる。
【００２０】
また、プリントシステム１には、利用者Ｐが編集処理で使用した（撮影画像に合成した）編集アイテム画像を、台紙上に接着剤層を介して貼り付けられたシートにプリントし、シート上の画像の周囲に切り込みを形成することで編集アイテム画像を台紙から剥離可能としたステッカー３を作成するステッカー作成装置１６が設けられている。ステッカー作成装置１６として、例えばカッティングプロッタを用いることができる。
【００２１】
プリントシステム１は、ＳＮＳサーバ４へ合成画像データを送信する通信装置１７をさらに備えている。
【００２２】
撮影装置１１は、例えばデジタルカメラであり、レンズ、シャッタ、ＣＭＯＳセンサ、Ａ／Ｄ変換器等を有する。撮影装置１１が利用者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、撮影画像データを生成する。撮影装置１１は、撮影画像データを演算制御装置１０へ出力する。
【００２３】
タッチパネル１２は、操作ボタンを表示し、操作ボタンが押されると、その操作ボタンに対応した操作指示を受け付ける。例えば、タッチパネル１２は、画像に合成可能なスタンプやフレーム等の編集アイテムを選択可能な画像編集画面を表示し、利用者Ｐから、編集アイテムの選択、及び選択された編集アイテムの合成位置の指示を受け付ける。
【００２４】
また、タッチパネル１２はプレビュー画像を表示する。例えば、撮影装置１１が撮影した撮影画像をプレビュー表示する。また、撮影装置１１が利用者Ｐを連続して複数回撮影した場合、タッチパネル１２は複数の撮影画像を表示し、利用者Ｐから選択指示を受け付けることができる。
【００２５】
本実施形態では、タッチパネル１２が、利用者Ｐからの指示の受け付け及び利用者Ｐに対する情報提示を行っているが、タッチパネル１２の代わりに、タッチ機能の無いディスプレイ、及びボタンやマウス等の入力手段を設けてもよい。
【００２６】
プリントシステム１には、利用者Ｐが支払う貨幣を受け入れたり、釣銭を払い出したりする課金部（図示せず）がさらに設けられている。
【００２７】
演算制御装置１０は、プリントシステム１の各部の制御やデータの受け渡しを行う。図３に、演算制御装置１０のハードウェア構成を示す。演算制御装置１０は、ＣＰＵ（中央演算処理部）１００、メインメモリ１０２、ディスク装置１０４、及び入出力部１０６を有する。演算制御装置１０の各部はバスを介して接続されている。
【００２８】
ディスク装置１０４は、例えばハードディスクドライブであり、制御プログラム１１０、及び編集アイテムデータ１１２を格納する。
【００２９】
ＣＰＵ１００は、ディスク装置１０４内の制御プログラム１１０をメインメモリ１０２にロードして、制御プログラム１１０を実行する。
【００３０】
図４に、ＣＰＵ１００が制御プログラム１１０を実行することで実現される機能ブロック図を示す。制御プログラム１１０の実行により、編集アイテム選択部１２０、合成部１２２、プリント指示部１２４、ステッカー作成処理部１２６、及び通信処理部１２８が実現される。
【００３１】
編集アイテム選択部１２０は、編集アイテムデータ１１２を用いて、撮影画像に合成可能な編集アイテムの選択ボタンを含む画像編集画面を作成してタッチパネル１２に表示する。編集アイテム選択部１２０は、利用者Ｐから、画像編集画面を介して、編集アイテムの選択、及び選択した編集アイテムの配置位置の指示を受け付ける。
【００３２】
合成部１２２は、選択された編集アイテムを、撮影画像内の指示位置に合成して、合成画像を生成する。
【００３３】
プリント指示部１２４は、撮影画像データを、プリントする写真サイズに対応したサイズに縮小（リサイズ）し、プリント用画像データを生成する。プリント指示部１２４は、このプリント用画像データを、演算制御装置１０の入出力部１０６を介してプリンタ１５へ転送し、プリンタ１５を制御して、画像を印画紙にプリントして出力する。
【００３４】
ステッカー作成処理部１２６は、利用者Ｐに選択された編集アイテムの画像データ、及び編集アイテム画像の輪郭に沿って切り込みを入れるための切り抜き情報を、入出力部１０６を介してステッカー作成装置１６へ転送し、ステッカー作成装置１６を制御して、編集アイテム画像をステッカー台紙のシートに印刷し、ステッカー３を作成する。
【００３５】
通信処理部１２８は、通信装置１７を介して、合成画像データをＳＮＳサーバ４へ送信する。
【００３６】
図５は、本実施形態に係る印画物作製方法を説明するフローチャートである。プリントシステム１が利用者Ｐを撮影して印画紙にプリントして出力すると共に、撮影画像の編集に用いた編集アイテムのステッカーを出力し、さらに編集アイテムが合成された合成画像データをＳＮＳに投稿する方法について説明する。
【００３７】
利用者Ｐが、プリントシステム１の筐体内に進入すると、スピーカ１３から音声案内が出力されると共に、タッチパネル１２に案内が表示される。利用者Ｐがタッチパネル１２の開始ボタンを押すと、処理が開始され、撮影装置１１が利用者Ｐを撮影する（ステップＳ１０）。撮影は１回でもよいし、連続して複数回行えるようにしてもよい。
【００３８】
演算制御装置１０が、撮影画像データからプレビュー用画像を作成してタッチパネル１２に表示する（ステップＳ１１）。利用者Ｐが撮り直しを希望する場合、再撮影を行ってもよい。
【００３９】
プレビュー画像の確認後、利用者Ｐは、タッチパネル１２に表示された画像編集画面を利用して、撮影画像の編集を行う（ステップＳ１２）。例えば、図６（ａ）に示すような画像編集画面がタッチパネル１２に表示される。画像編集画面には、編集アイテム選択ボタン４０が表示される。
【００４０】
利用者Ｐは、編集アイテム選択ボタン４０を押して編集アイテム（この例ではスタンプ）を選択し、画面中央の画像４２内の所望の位置を選択する。合成部１２２は、編集アイテムを撮影画像に合成して合成画像を作成する。編集アイテムの合成により、図６（ｂ）に示すような合成画像４４が生成される。
【００４１】
画像の編集後、タッチパネル１２に課金画面が表示され、課金部が利用者Ｐからの入金を受け付けて課金処理を行う（ステップＳ１３）。
【００４２】
課金処理後、通信処理部１２８は、通信装置１７を介して、合成画像データをＳＮＳサーバ４に送信する（ステップＳ１４）。例えば、タッチパネル１２にＳＮＳ投稿ボタンが表示され、利用者ＰがＳＮＳ投稿ボタンを押すと、タッチパネル１２に認証画面が表示される。利用者Ｐが、認証画面でアカウント名やパスワード（ログイン情報）を入力し、ＳＮＳサーバ４側でユーザ認証が成功すると、合成画像データがアップロードされ、公開される。
【００４３】
プリント指示部１２４が、撮影画像データを所定のサイズ縮小（リサイズ）し、プリント用画像データを生成し、プリンタ１５へ転送する。プリンタ１５は、プリント用画像データを印画紙にプリントする（ステップＳ１５）。これにより、図７（ａ）に示すような、利用者Ｐを撮影した撮影画像２０がプリントされた印画物２が出力される。
【００４４】
ステッカー作成処理部１２６が、ステップＳ１２で利用者Ｐに選択され、撮影画像に合成された編集アイテムの画像と、各編集アイテム画像の切り抜き情報とをステッカー作成装置１６へ転送する。ステッカー作成装置１６には、台紙上に接着剤層を介してシートが貼り付けられたステッカー台紙が装填されている。ステッカー作成装置１６は、ステッカー台紙のシートに編集アイテム画像をプリントし、切り抜き情報に基づいて、プリントした編集アイテム画像の輪郭に沿って切り込みを入れる（ステップＳ１６）。これにより、図７（ｂ）に示すような、ステッカー３が出力される。
【００４５】
ステッカー３は、図６（ｂ）に示す合成画像４４で使用された編集アイテム画像がプリントされた編集アイテムステッカー３１を有し、編集アイテム画像の輪郭に沿って切り込み３２が形成されている。
【００４６】
利用者Ｐは、撮影画像がプリントされた印画物２と、編集アイテム画像がプリントされたステッカー３とを取得できる。図８に示すように、利用者Ｐは、ステッカー３から編集アイテムステッカー３１を剥がし、印画物２に貼付することで、ステップＳ１２の編集処理のように、撮影画像の装飾を楽しむことができる。
【００４７】
このように、本実施形態によれば、利用者Ｐを撮影した画像が印画された印画物２と、利用者が編集作業により撮影画像に合成した編集アイテムのステッカー３とを作成できる。利用者Ｐは、編集アイテムステッカーを印画物２に貼り付けることで、印画物２を飾り付ける楽しみを得ることができる。また、編集作業で作成した合成画像をＳＮＳに投稿することができる。
【００４８】
上記実施形態において、画像編集画面に、同一デザインでサイズの異なる複数の編集アイテム選択ボタン４０を並べて表示してもよい。
【００４９】
上記実施形態では、利用者ＰはステップＳ１２の編集処理で編集アイテムを自由に選択することができたが、複数の編集アイテムをグループ化して組み合わせた編集アイテム群のデータを複数準備しておき、利用者Ｐがいずれかの編集アイテム群を選択し、選択した編集アイテム群に含まれる編集アイテムを利用できるようにしてもよい。複数の編集アイテム群は、互いに、少なくとも１つの編集アイテムが異なるように編集アイテムが組み合わされている。
【００５０】
例えば、利用者Ｐは、図９（ａ）に示すような編集アイテム群５１〜５３から、好みの編集アイテムが含まれる編集アイテム群を選択する。画像編集画面では、選択した編集アイテム群に含まれる編集アイテムが選択可能（撮影画像に合成可能）に表示される。例えば、図９（ａ）に示す編集アイテム群５２が選択された場合、図９（ｂ）に示すように、画像編集画面では編集アイテム群５２に含まれる編集アイテムの選択ボタン４２が表示される。
【００５１】
ステッカー作成処理部１２６は、利用者Ｐに選択された編集アイテム群の画像、及び各編集アイテム画像の切り抜き情報をステッカー作成装置１６へ転送する。例えば、図９（ａ）に示す編集アイテム群５２が選択された場合、図９（ｃ）に示すようなステッカー３Ａが作成される。ステッカー３Ａは、編集処理で撮影画像に合成されたか否かによらず、編集アイテム群５２に含まれる全ての編集アイテムのステッカーを有する。
【００５２】
１つの編集アイテムを撮影画像の複数箇所に配置することがあるため、図９（ｄ）に示すステッカー３Ｂのように、編集アイテム群５２に含まれる全ての編集アイテムのステッカーをそれぞれ複数形成してもよい。
【００５３】
また、ステッカー３Ａ、３Ｂに含まれる編集アイテムステッカーの数に応じて、編集処理で同一の編集アイテムを選択できる上限回数を設定してもよい。例えば、図９（ｄ）に示すように、全ての編集アイテムのステッカーが２個ずつ形成される場合、編集処理では同一の編集アイテムを２回まで選択・合成することができる。
【００５４】
複数の編集アイテム群を予め準備した上で、利用者Ｐが編集アイテムを自由に選択できるようにしてもよい。ステッカー作成処理部１２６は、利用者Ｐに選択された編集アイテムが全て含まれるように、１個又は複数個の編集アイテム群の画像をステッカー作成装置１６へ転送する。
【００５５】
例えば、図１０（ａ）に示すような編集アイテム群６１〜６３が予め準備されており、利用者Ｐが図１０（ｂ）に示すような編集処理を行った場合を考える。編集処理で利用された編集アイテムは、編集アイテム郡６１に含まれるものだけでなく、編集アイテム群６２にしか含まれないものもある。そのため、ステッカー作成処理部１２６は、利用者Ｐに選択された編集アイテムを網羅するように、編集アイテム群６１及び６２の画像と、切り抜き情報とをステッカー作成装置１６へ転送する。これにより、図１０（ｃ）に示すように、編集アイテム群６１に対応するステッカー３Ｃと、編集アイテム群６２に対応するステッカー３Ｄとが作成される。
【００５６】
［第２の実施形態］
上記第１の実施形態のプリントシステム１は、編集対象の画像（原画像）が、利用者Ｐを撮影して生成した撮影画像であったが、利用者Ｐから原画像データの入力を受け付け、入力された原画像の編集処理を行うものであってもよい。
【００５７】
図１１は本実施形態によるプリントシステム２００の斜視図であり、図１２はプリントシステム２００のブロック構成図である。プリントシステム２００は、第１タッチパネル２１０Ａ、第２タッチパネル２１０Ｂ、データ入力部２１１、課金部２１２、プリンタ２１３、ＣＰＵ（中央処理部）２１４、ディスク装置（記憶部）２１５、メインメモリ２１６、ステッカー作成装置２１７、及び通信装置２１８を有する。プリントシステム２００の各部はバスを介して接続されている。
【００５８】
第１タッチパネル２１０Ａは筐体２０１の天板２０１Ａ部分に設けられ、第２タッチパネル２１０Ｂは筐体２０１の上部に設けられている。第１タッチパネル２１０Ａへの入力操作を行い易いように、天板２０１Ａ及び第１タッチパネル２１０Ａの画面は、手前側が低く奥側が高くなるようにやや傾斜している。第２タッチパネル２１０Ｂのディスプレイ画面は、略垂直に立った状態となっている。第１タッチパネル２１０Ａと第２タッチパネル２１０Ｂのディスプレイ画面は同程度の大きさとなっている。
【００５９】
第１タッチパネル２１０Ａ及び第２タッチパネル２１０Ｂは、画像を含む情報を表示したり、利用者から各種指示の入力を受け付けたりする。
【００６０】
データ入力部２１１は、デジタルカメラ等で撮影した画像データが記憶された記憶媒体から画像データを読み取ることで、画像データの入力を受け付ける。データ入力部２１１は、様々な記憶媒体に対応したデータ読取装置を有している。また、データ入力部２１１は、無線通信により携帯端末から画像データの入力を受け付けることができる。図１１に示すように、データ入力部２１１は筐体２０１の上部、具体的には筐体２０１の天板２０１Ａと第２タッチパネル２１０Ｂとの間に設けられている。
【００６１】
課金部２１２は、筐体２０１の前面側に設けられた硬貨投入口２１２Ａ、紙幣投入口２１２Ｂ、釣銭返却口２１２Ｃを有し、硬貨投入口２１２Ａ及び紙幣投入口２１２Ｂから投入された貨幣を識別計数し、釣銭を釣銭返却口２１２Ｃから放出する。また、課金部２１２は、電子マネーによる決済機能を有していてもよい。また、課金部２１２は、単価、プリント部数、請求金額、投入金額、釣銭額等をレシートに印字して出力するレシートプリンタを有していてもよい。
【００６２】
プリンタ２１３は、昇華型又はインクジェット型などの高解像度カラープリンタであり、データ入力部２１１から入力され、利用者に選択された画像をプリントして出力する。プリンタ２１３は複数台設置されていてもよい。
【００６３】
ステッカー作成装置２１７及び通信装置２１８は、上記第１の実施形態のステッカー作成装置１６及び通信装置１７と同様のものである。
【００６４】
筐体２０１の前面側には、透明な開閉扉２０２が開閉自在に設けられている。開閉扉２０２の裏面側には、プリンタ２１３がプリント出力した印画物及びステッカー作成装置２１７が作成したステッカーが集積される集積部（図示せず）が設けられている。開閉扉２０２を開けると、集積部に集積された印画物及びステッカーが取り出せるようになっている。
【００６５】
ディスク装置２１５は、例えばハードディスクドライブであり、制御プログラム、及び編集アイテムデータを格納する。編集アイテムデータは上記第１の実施形態の編集アイテムデータ１１２と同様のものである。
【００６６】
ＣＰＵ２１４が、ディスク装置２１５内の制御プログラムをメインメモリ２１６にロードして実行することで、プリントシステム２００の各部の制御やデータの受け渡しを行う制御部２１４Ａとして機能すると共に、図４に示す編集アイテム選択部１２０、合成部１２２、プリント指示部１２４、ステッカー作成処理部１２６、及び通信処理部１２８と同等の機能が実現される。
【００６７】
図１３は、本実施形態に係る印画物作製方法を説明するフローチャートである。プリントシステム２００が利用者から画像データの入力を受け付け、入力画像を印画紙にプリントして出力すると共に、入力画像の編集に用いた編集アイテムのステッカーを出力し、さらに編集アイテムが合成された合成画像データをＳＮＳに投稿する方法について説明する。
【００６８】
利用者が、第１タッチパネル２１０Ａに表示された案内画面を操作して開始ボタンを押すと、処理が開始され、画像データの入力案内が表示される。利用者は、持参した記憶媒体をデータ入力部２１１に接続し、画像データを入力する（ステップＳ２０）。
【００６９】
記憶媒体内の画像が第１タッチパネル２１０Ａに表示される（ステップＳ２１）。利用者は、編集を行う画像（編集対象画像）を選択する（ステップＳ２２）。
【００７０】
画像選択後、利用者は、第１タッチパネル２１０Ａ又は第２タッチパネル２１０Ｂに表示された画像編集画面を利用して、画像の編集を行う（ステップＳ２３）。画像編集画面は図６（ａ）に示すものと同様である。
【００７１】
利用者は、編集アイテム選択ボタンを押して編集アイテム（スタンプやフレーム）を選択し、編集対象画像内の所望の位置を選択する。編集アイテムが編集対象画像に合成され、合成画像が作成される。
【００７２】
画像の編集後、第１タッチパネル２１０Ａ又は第２タッチパネル２１０Ｂに課金画面が表示され、課金部が利用者Ｐからの入金を受け付けて課金処理を行う（ステップＳ２４）。
【００７３】
課金処理後、通信装置２１８が、合成画像データをＳＮＳサーバ４（図１参照）へ送信する（ステップＳ２５）。例えば、第１タッチパネル２１０ＡにＳＮＳ投稿ボタンが表示され、利用者がＳＮＳ投稿ボタンを押すと、タッチパネル２１０Ａに認証画面が表示される。利用者が、認証画面でアカウント名やパスワード（ログイン情報）を入力し、ＳＮＳサーバ４側でユーザ認証が成功すると、合成画像データがアップロードされ、公開される。
【００７４】
プリンタ２１３が、ステップＳ２２で選択された画像を印画紙にプリントする（ステップＳ２６）。これにより、編集対象画像がプリントされた印画物２が出力される。
【００７５】
ステッカー作成装置２１７が、ステップＳ２３で利用者に選択され、編集対象画像に合成された編集アイテムの画像を、シート体のシートにプリントし、プリントした編集アイテム画像の輪郭に沿って切り込みを入れる（ステップＳ２７）。これにより、ステッカー３が出力される。
【００７６】
利用者は、記憶媒体内の画像がプリントされた印画物２と、編集アイテム画像がプリントされたステッカー３とを取得できる。図８に示すように、利用者Ｐは、ステッカー３から編集アイテムステッカー３１を剥がし、印画物２に貼付することで、ステップＳ１２の編集処理のように、撮影画像の装飾を楽しむことができる。
【００７７】
このように、本実施形態によれば、記憶媒体から入力した画像が印画された印画物２と、利用者が編集作業により撮影画像に合成した編集アイテムのステッカー３とを作成できる。利用者は、編集アイテムステッカーを印画物に貼り付けることで、印画物を飾り付ける楽しみを得ることができる。また、編集作業で作成した合成画像をＳＮＳに投稿することができる。
【００７８】
上記第１及び第２の実施形態において、原画像（編集前の撮影画像や入力画像）をプリントした印画物２、及び編集処理で使用した編集アイテムのステッカー３だけでなく、編集アイテムを合成した合成画像をプリントした印画物を出力してもよい。
【００７９】
編集処理において、編集アイテムの拡縮を行った場合、編集アイテムステッカーのサイズも同様に拡縮することが好ましい。
【００８０】
上記実施形態では、ステッカー作成装置１６、２１７が、ステッカー台紙に編集アイテム画像をプリントする例について説明したが、プリンタ１５、２１３がステッカー台紙に画像をプリントできる場合は、プリンタ１５、２１３が編集アイテム画像をプリントしてもよい。
【００８１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８２】
１  プリントシステム
２  印画物
３  ステッカー
４  ＳＮＳサーバ
１０  演算制御装置
１１  撮影装置
１２  タッチパネル
１３  スピーカ
１４  ストロボ
１５  プリンタ
１６  ステッカー作成装置
１７  通信装置
【図１】
2018018333.tif 000003
【図２】
2018018333.tif 000004
【図３】
2018018333.tif 000005
【図４】
2018018333.tif 000006
【図５】
2018018333.tif 000007
【図６】
2018018333.tif 000008
【図７】
2018018333.tif 000009
【図８】
2018018333.tif 000010
【図９】
2018018333.tif 000011
【図１０】
2018018333.tif 000012
【図１１】
2018018333.tif 000013
【図１２】
2018018333.tif 000014
【図１３】
2018018333.tif 000015